(57)【特許請求の範囲】
【請求項１】
既存のテントのフレーム上部に着脱することができる付加フレーム（１７）と、天膜（２ａ）で構成されており、天膜（２ａ）は、同じ方向へ傾斜した外膜体（２２）と内膜体（２１）で構成され、外膜体（２２）と内膜体（２１）の間には通風ができるように空隙が設けられており、内膜体（２１）には、最上部に設けられた内部通風口（２７１）と、内膜体（２１）を前記付加フレーム（１７）に対し張設する手段（２８）が形成されており、外膜体（２２）には所要数の開口部（２６）が形成され、開口部縁部と内膜体（２１）の間には外部通風部（２９）が形成されていることを特徴とする付加テントセット。
【請求項２】
フレームの側部全部に取り付けられる側膜（３）を有し、側膜（３）には側膜内部に通じる側部通風部（３５）が形成されていることを特徴とする請求項１に記載の付加テントセット。
【発明の詳細な説明】
【技術分野】
【０００１】
本発明は、テント及び付加テントセットに関するものである。更に詳しくは、天膜に吹き付ける風の方向に関わらず、常に開口状態を維持できる通風口を有しており、強風や突風時には、この通風口を通してテントの内外間で適度な通風ができるようにし、テントが倒壊したり、あるいは浮き上がったり飛ばされる危険を緩和することができると共に、雨漏りも防止できるようにしたテント及び付加テントセットに関する。
【背景技術】
【０００２】
組立式の簡易型のテントの一つの形態として、支脚を有するフレームの上部のみに天膜を取り付ける構造のテントがある。このテントは、設置後に強風や突風が吹いた場合、杭やロープで固定はしていても、天膜に外側から強い風圧がかかって飛ばされたり、あるいは、側部が開いているため、側部から入り込んだ風が天膜下面側に当たり、この風圧によってテントが浮き上がったり飛ばされてしまうおそれがあった。
【０００３】
このような課題を解決するものとして、例えば特許文献１に記載されたテントがある。このテントは、天幕の一部に通風用の開口部を設け、開口部を天幕外部から覆い、通風により上端から下端へ向けて天幕との間隔が大きくなるようにした下端が開くフードを設け、強風や突風時に開口部からフード内に吹き込んだ風がフードを通ってテント外部へ抜け出るようにしてあり、強風や突風が吹き込んでも吹き飛ばされることがなく且つ雨漏りも防止できるというものである。
【先行技術文献】
【特許文献】
【０００４】
【特許文献１】特開平１０−３７５３４
【発明の概要】
【発明が解決しようとする課題】
【０００５】
しかしながら、特許文献１に記載されたテントには、次のような課題があった。
例えば風が周囲の建物に当たる等して乱れて、天膜に対し斜め上方から吹き降ろすような場合、フードが開口部縁に風圧で押し付けられて開口部を塞いでしまい、瞬間的に開口部やフードのないテントと同じような状況がつくられて、天膜の内側または外側にかかる風圧でテントが倒壊したり飛ばされてしまう事態が起こり得る。
【０００６】
また、フードは、風の方向によっては、天膜の傾斜面に沿って吹き上がる風によって下端部が開くことがある。この場合、強風や突風が雨混じりであれば、フードの下端部と開口部がごく近いために、実際上はメッシュを通り抜ける風と共に雨水も開口部を通り抜けて雨漏りがするおそれがあった。
【０００７】
ところで、簡易型のテントには、前記天膜のみを有するテントの他に、フレームの上部及び側部のほぼ全体を膜で覆ったテントもある。このような構造のテントは、例えば屋外で様々なイベントが開催される際の簡易トイレ、シャワー室あるいは更衣室等を設けるためのテントとして利用されている。しかし、このような上部及び側部のほぼ全体を膜で覆ったテントで、内部の空気が外部に抜けやすいようにして、強風や突風で倒壊したり、あるいは浮き上がったり吹き飛ばされる危険を緩和できる構造のものはなかった。
【０００８】
（本発明の目的）
本発明は、天膜に吹き付ける風の方向に関わらず、常に開口状態を維持できる通風口を有しており、強風や突風時には、この通風口を通してテントの内外間で適度な通風ができるようにし、テントが倒壊したり、あるいは浮き上がったり飛ばされる危険を緩和することができると共に、雨漏りも防止できるようにしたテント及び付加テントセットを提供することを目的とする。
【課題を解決するための手段】
【０００９】
上記課題を解決するために本発明が講じた手段は次のとおりである。
本発明は、
フレームと、フレームの上部に取り付けられる天膜を有するテントであって、
天膜は、同じ方向へ傾斜した外膜体と内膜体で構成され、外膜体と内膜体の間には通風ができるように空隙が設けられており、
内膜体の最上部には内部通風口が形成されており、
外膜体には所要数の開口部が形成され、開口部縁部と内膜体の間には外部通風部が形成されており、
外部通風部と内部通風口を通して天膜の内外で常時通風ができるようにしてある、
テントである。
【００１０】
本発明は、
フレームの側部全部に取り付けられる側膜を有し、天膜と側膜でフレーム全体が覆われており、側膜または側膜以外の側部に、側膜内部に通じる側部通風部が形成されている、
前記テントである。
【００１１】
本発明は、
フレームが、外膜体を取り付ける外膜体用フレームと、内膜体を取り付ける内膜体用フレームを有しており、外膜体用フレームと内膜体用フレームは、内膜体と外膜体との間の空隙を維持できるように配されている、
前記テントである。
【００１２】
本発明は、
内膜体に、内部通風口に雨水が入らないようにする雨水止めが設けられている、
前記テントである。
【００１３】
本発明は、
既存テントのフレーム上部に着脱することができる付加フレームと、天膜で構成されており、
天膜は、同じ方向へ傾斜した外膜体と内膜体で構成され、外膜体と内膜体の間には通風ができるように空隙が設けられており、
内膜体には、最上部に設けられた内部通風口と、内膜体を前記付加フレームに対し張設する手段が形成されており、
外膜体には所要数の開口部が形成され、開口部縁部と内膜体の間には外部通風部が形成されている、
付加テントセットである。
【００１４】
本発明は、
フレームの側部全部に取り付けられる側膜を有し、側膜には側膜内部に通じる側部通風部が形成されている、
前記付加テントセットである。
【００１５】
特許請求の範囲にいう「テント」の用語は、支脚を有するフレームの上部のみに天膜を取り付けた構造のテント及びフレームの上部及び側部のほぼ全体を膜で覆ったテントを含む意味で使用している。
また、「テント」の用語は、組立式で移動が可能な簡易型のテントの他、常設される大型のテント等を含む意味で使用している。
【００１６】
（作用）
本発明に係るテントの作用を説明する。なお、ここでは、説明で使用する各構成要件に、後述する実施の形態において各部に付与した符号を対応させて付与するが、この符号は、特許請求の範囲の各請求項に記載した符号と同様に、あくまで内容の理解を容易にするためであって、各構成要件の意味を上記各部に限定するものではない。
【００１７】
テントの天膜(2)に形成されている外部通風部(29)は、外膜体(22)と内膜体(21)の間の空隙に設けられているので、内外どちらの方向からも常時通風が可能である。すなわち、外部通風部(29)は、傾斜した外膜体(22)と内膜体(21)の間に設けられているので、天膜(2)に吹き付ける風は、風の方向に関わらず、そのほとんどの場合で天膜(22)の傾斜面に誘導され、外部通風部(29)から内膜体(21)の内部通風口(271)を通ってテント内部へ吹き抜けることができる。また、逆に、テント内部に吹き付ける風は、内部通風口(271)から外部通風部(29)を通り、テント外部へ吹き抜けることができる。
【００１８】
したがって、強風や突風時においても、適度な風の通りが確保されるので、テントが倒壊したり、あるいは浮き上がったり飛ばされる危険を緩和することができる。さらに、雨混じりの風が外部通風部(29)を通り吹き込む場合でも、内膜体(21)が内部通風口(271)へ向け上り傾斜しているため、雨は簡単には内部通風口(271)まで吹き上がることができないので、雨漏りも防止できる。
【００１９】
フレーム(1)の側部全部に取り付けられる側膜(3)を有し、天膜(2)と側膜(3)でフレーム(1)全体が覆われており、側膜(3)または側膜(3)以外の側部に、側膜(3)内部に通じる側部通風部(35)が形成されているテントは、内部通風口(271)と外部通風部(29)に加えて側部通風部(35)によってテントの内外間で風の吹き抜けができるので、テントが倒壊したり、あるいは浮き上がったり飛ばされる危険を緩和することができる。また、このテントは、屋外に簡易トイレ、シャワー室あるいは更衣室等を設けるためのテントとして利用できる。
【００２０】
フレーム(1)が、外膜体(22)を取り付ける外膜体用フレーム(13)と、内膜体(21)を取り付ける内膜体用フレーム(16)を有しており、外膜体用フレーム(13)と内膜体用フレーム(16)は、内膜体(21)と外膜体(22)との間の空隙を維持できるように配されているテントは、吹き抜ける風で内膜体(21)や外膜体(22)が大きく変形して間の空隙が狭くなり風が通りにくくなるような不都合が生じることを防止できる。
【００２１】
内膜体(21)に、内部通風口(271)に雨水が入らないようにする雨水止め(272)が設けられているテントは、内膜体(21)の傾斜面を吹き上がろうとする雨をより確実に止めることができるので、雨漏りの防止効果が向上する。
【００２２】
付加テントセットの使用にあたっては、まず、付加フレーム(17)を既存のテントのフレーム上部に取り付け、内膜体(21)を付加フレーム(17)に対し張設するようにしてフレーム上部に天膜(2)を取り付ける。
これにより、既存のテントのフレームを無駄なく利用して、前記テントと同様の機能性を有するテントをつくることができる。
【００２３】
また、フレームの側部全部に取り付けられる側膜(3)を有し、側膜(3)には側膜内部に通じる側部通風部(35)が形成されている付加テントセットは、既存のテントのフレームを無駄なく利用して、前記側幕を有するテントと同様の機能性を有するテントをつくることができる。
【発明の効果】
【００２４】
（ａ）本発明のテントは、外部通風部が、天膜に吹き付ける風の方向に関わらず、常に開口状態を維持できるようになっているので、強風や突風時には、この外部通風部を通してテントの内外間で適度な通風を行うことができる。したがって、風でテントが倒壊したり、あるいは浮き上がったり飛ばされる危険を緩和することができる。また、雨混じりの風が外部通風部を通り吹き込む場合でも、内膜体が内部通風口へ向け上り傾斜しているため、雨は簡単には内部通風口まで吹き上がることができないので、雨漏りも防止できる。
【００２５】
（ｂ）本発明の付加テントセットは、既存のテントのフレームを無駄なく利用して、前記テントと同様の機能性を有するテントをつくることができる。
【図面の簡単な説明】
【００２６】
【図１】本発明に係るテントの一実施の形態を示す斜視図。
【図２】図１に示したテントの分解斜視説明図。
【図３】図１に示したテントの天膜を構成する内膜体の取付構造を示す説明図。
【図４】本発明に係るテントの他の実施の形態を示し、天膜を構成する内膜体の取付構造を示す説明図。
【図５】本発明に係る付加テントセットの一実施の形態を示す説明図。
【発明を実施するための形態】
【００２７】
本発明を図面に示した実施の形態に基づき詳細に説明する。
【実施例】
【００２８】
図１ないし図３を参照する。
テントＡ１は、金属製のフレーム１と、天膜２及び側膜３を備えている。なお、図３では、図示の便宜上、天膜２の外膜２２及び側膜３の図示を省略している。
【００２９】
フレーム１は、四本の支脚部材１０と、各支脚部材１０の上端をつなぐように水平に設けられた二本の短手梁部材１１と二本の長手梁部材１２を有している。相対向する各長手梁部材１２の両端部には、短手梁部材１１方向に互いに二等辺状になるように上方へ傾斜して形成された合掌部材１３を有している。各長手梁部材１２の両端部に設けられている各合掌部材１３の頂点間には、棟部材１４が水平に形成されている。棟部材１４と各合掌部材１３は、外膜体用フレームを構成する。
【００３０】
棟部材１４の下方には、下棟部材１５が二本の吊り部材１５０を介して棟部材１４と所要の間隔をおいて平行に形成されている。各吊り部材１５０の下端部と両合掌部材１３の下端寄りの間には、それぞれ合掌部材１３より傾斜が緩い下合掌部材１６が形成されている。下棟部材１５と各下合掌部材１６は、内膜体用フレームを構成する。符号１５１は、後述する吊りワイヤ２７３を掛けるワイヤ掛け具である。
【００３１】
天膜２は、内膜体２１と外膜体２２で構成されている。
外膜体２２は、切妻型の二枚の天布２３と、各天布２３の長さ方向両端部の二箇所に接続されている端布２４と、各天布２３及び各端布２４の下辺部に接続されている幕布２５で構成されている。各天布２３には、それぞれ二箇所に、ほぼ半円形状の開口部２６が並設されている。各開口部２６は、各天布２３の下辺部にかかるよう形成されている。各布２３、２４、２５は防水布で形成されている。
【００３２】
内膜体２１は、それぞれが逆方向に傾斜して設けられた二枚の内天布２７を備えている。各内天布２７の長さ方向両端部には、前記外膜体２２の各端布２４に接する位置に三角形状の雨返し片２７０が形成されている。各雨返し片２７０の上辺端部には、吊りワイヤ２７３が取り付けられている。また、各内天布２７の頂部間には、上辺部が平行になるように離して内部通風口２７１が設けられている。各内天布２７の上辺部間には、内部通風口２７１に渡すようにして、多数の連結帯２８が等間隔で取り付けられている。各連結帯２８は、片側端部が内天布２７に着脱できるようにしてある。
【００３３】
内膜体２１と外膜体２２は、各内天布２７の下辺部（幕布２５側）と各天布２３の下辺部を縫着することにより一体化されている。一体化した内膜体２１と外膜体２２を、図１に示すようにフレーム１に取り付けたときには、内膜体２１の各内天布２７が外膜体２２の各天布２３より緩い傾斜となっており、各内天布２７と各天布２３の間には通風ができる空隙（符号省略）が形成されている。
【００３４】
外膜体２２の各天布２３に形成されている各開口部２６の縁部と内膜体２１の各内天布２７の間には、通風が自在な網体等のメッシュ素材を縫着により張設して外部通風部２９が形成されている。したがって、半円形状に湾曲した外部通風部２９で囲まれた部分には、内天布２７があらわれている。
【００３５】
そして、天膜２は、次のようにしてフレーム１に取り付けられる。まず内膜体２１の各連結帯２８の片側を一旦外して各内天布２７を離しておき、外膜体２２をフレーム１の各合掌部材１３、棟部材１４、各短手梁部材１１及び各長手梁部材１２に外側から被せる。次に、各内天布２７を持ち上げ、各連結帯２８が下棟部材１５の上に掛かるようにして、外していた側を各内天布２７に取り付け、内部通風口２７１を形成する。そして、各内天布２７の長さ方向両端（雨返し片２７０側の端部）を各下合掌部材１６に下から回して掛けるようにし、両側の吊りワイヤ２７３を結束して吊り部材１５０のワイヤ掛け具１５１に掛け、各雨返し片２７０を吊るようにする。
【００３６】
また、フレーム１の側部には、各短手梁部材１１と各長手梁部材１２から下側の側部全体を覆うように側膜３が取り付けられている。側膜３は、長手梁部材１２の長さと同じ幅の二枚の構成布３１、３３と、短手梁部材１１の長さと同じ幅の二枚の構成布３０、３２を備えている。各構成布３０、３１、３２、３３は防水布で形成され、それぞれが両端側で接続され、各支脚部材１０間に適度な張りをもって張設されている。各構成布において、短手側の一方の構成布３０には、ファスナーでＬ字形状に閉じられ、開閉が可能な出入口３４が設けられている。
【００３７】
各構成布３０、３１、３２、３３は、各支脚部材１０よりやや短く形成されており、その下辺部には通風が可能で且つ目隠しともなる網体等のメッシュ素材で形成された側部通風部３５が接続されている。側部通風部３５は、側膜３内部に通じている。各構成布３０、３１、３２、３３と、それぞれに接続されている側部通風部３５は、それらを合わせた高さが各支脚部材１０とほぼ同じ高さになるように形成されており、各構成布３０、３１、３２、３３と側部通風部３５によって、フレーム１の側部の全体を覆うことができる。
【００３８】
この構造によれば、外部通風部２９と内部通風口２７１及び側部通風部３５を通して天膜２及び側膜３の内外で常時通風ができる。
【００３９】
（作用）
図１ないし図３を参照してテントＡ１の作用を説明する。
テントＡ１は、天膜２と側膜３でフレーム１全体が覆われている構造であるので、例えば屋外で行われる各種イベントの際に設置する簡易トイレ、シャワー室あるいは更衣室等を設けるためのテントとして利用することができる。テントＡ１の内部には、このような用途で使用するために、トイレユニットやシャワーユニット等（何れも図示省略）が設置される。テントＡ１は、内部を外部から見えないように隠すことができると共に、臭気や湿気等の排出を良好に行うことができる。
【００４０】
テントＡ１の天膜２に形成されている外部通風部２９は、外膜体２２と内膜体２１の間の空隙に設けられており、しかも内膜体２１と外膜体２２はそれぞれフレーム１の下合掌部材１６と合掌部材１３に取り付けてあるので、吹き抜ける風で内膜体２１や外膜体２２が大きく変形することなく間の空隙が維持される。これにより、テントＡ１の内外どちらの方向からも常時通風が可能である。
【００４１】
つまり、外部通風部２９は、外膜体２２の傾斜した天布２３と、内膜体２１の傾斜した内天布２７の間に斜め下向きに設けられており、天膜に吹き付ける風は、風の方向に関わらず、そのほとんどの場合で天膜２の天布２３または内天布２７の傾斜面に誘導され、外部通風部２９から内膜体２１の内部通風口２７１を通ってテント内部へ入り、側部通風部３５を通って吹き抜けることができる。また、逆に、側部通風部３５を通ってテント内部に入った風は、内部通風口２７１から外部通風部２９を通り、テント外部へ吹き抜けることができる。
【００４２】
したがって、強風や突風時においても、適度な風の通りが確保されるので、テントＡ１が倒壊したり、あるいは浮き上がったり飛ばされる危険を緩和することができる。さらに、雨混じりの風が外部通風部を通り吹き込む場合でも、内膜体２１の内天布２７が内部通風口２７１へ向け上り傾斜しているため、吹き込んだ雨は簡単には内部通風口２７１まで吹き上がることができない。これにより、雨漏りも防止できる。
【００４３】
図４を参照する。なお、図４では、図示の便宜上、天膜２ａの外膜２２及び側膜３の図示を省略している。また、図４において、図１ないし図３に示すテントＡ１と同一または同等箇所には同一の符号を付して示し、構造について重複する説明は省略する。
【００４４】
本実施の形態のテントＡ２は、フレーム１ａに前記フレーム１とは相違して、二本の下合掌部材１６が設けられておらず、より簡単な構造となっている。なお、天膜２ａの構造は、前記テントＡ１の天膜２とほぼ同様であるが、各雨返し片２７０の折り目端部にも吊りワイヤ２７４が取り付けられている点が相違している。両側の吊りワイヤ２７４は、結束されて下棟部材１５の上側に掛けられ、各内天布２７の両端部を吊るものである。
【００４５】
また、内膜２１の各内天布２７の内通風口２７１側の上辺部寄りには、上辺部と平行に雨水の吹き上がりを止める雨水止め２７２が全長にわたり設けられている。雨水止め２７２は、縦板状で内天布２７の上面に接着されている。
雨水止め２７２を有していることにより、前記テントＡ１と比較して、各内天布２７の傾斜面を吹き上がろうとする雨をより確実に止めることができるので、雨漏りの防止効果が向上する。
【００４６】
図５を参照し、付加テントセットＢの構造を説明する。なお、図５では、図示の便宜上、天膜２ａの外膜２２及び側膜３の図示を省略している。また、図５において、図１ないし図３に示すテントＡ１及び図４に示すテントＡ２と同一または同等箇所には同一の符号を付して示し、構造について重複する説明は省略する。
【００４７】
付加テントセットＢは、フレーム１ａと天膜を有する既存のテントのうち、天膜は使用せずフレーム１ａのみを使用して、このフレーム１ａと組み合わせることにより前記テントＡ２と同等の機能性を有するテントＡ３をつくることができるものである。
【００４８】
付加テントセットＢは、既存テントのフレーム１ａ上部の棟部材１４に着脱できる付加フレーム１７と、天膜２で構成されている。付加フレーム１７は、棟部材１４とほぼ同じ長さの下棟部材１７０と、その両端寄りに直角方向に固定されている取付具１７１を備えている。各取付具１７１は、互いに平行に設けられ、先端部には棟部材１４に掛けるためのフック１７２が形成されている。なお、取付具１７１は下棟部材１７０に着脱自在としてもよい。
【００４９】
符号１７３は、フック１７２が棟部材１４から外れるのを防止する外れ止めである。外れ止め１７３は、下方に設けられているハンドルで開閉操作されるようになっている。また、各取付具１７１の中間部にはワイヤ掛け具１７４が設けられ、その下方の下棟部材１７０の両端部には、ワイヤ掛け具１７５が設けられている。
【００５０】
付加テントセットＢの使用にあたっては、まず、付加フレーム１７を既存のテントのフレーム１ａ上部の棟部材１４に各取付具１７１のフック１７２を掛けて取り付ける。既存のテントの天膜（図示省略）は使用せず、天膜２ａを内膜体２１を付加フレーム１７に対し張設するようにしてフレーム１ａ上部に取り付ける。
【００５１】
詳しくは、内膜体２１の各連結帯２８の片側を一旦外して各内天布２７を離しておき、外膜体２２をフレーム１ａの各合掌部材１３、棟部材１４、各短手梁部材１１及び各長手梁部材１２に外側から被せる。次に、各内天布２７を持ち上げ、各連結帯２８が下棟部材１７０の上に掛かるようにして、外していた側を各内天布２７に取り付け、内部通風口２７１を形成する。そして、両側の吊りワイヤ２７３、２７４を結束して取付具１７１のワイヤ掛け具１７４、１７５に掛け、各雨返し片２７０を吊るようにする。また、側膜３もフレーム１ａに取り付ける。
【００５２】
これにより、既存のテントのフレーム１ａを無駄なく利用して、前記テントＡ２と同様の機能性を有するテントＡ３をつくることができる。
また、付加フレーム１７に、さらに二本の下合掌部材１６を設けて、天膜２ａと共にフレーム１ａに取り付けて、前記テントＡ１とほぼ同等の機能性を有するテントをつくることもできる。
【００５３】
なお、本明細書で使用している用語と表現は、あくまでも説明上のものであって、なんら限定的なものではなく、本明細書に記述された特徴およびその一部と等価の用語や表現を除外する意図はない。また、本発明の技術思想の範囲内で、種々の変形態様が可能であるということは言うまでもない。
【符号の説明】
【００５４】
Ａ１  テント
１  フレーム
１０  支脚部材
１１  短手梁部材
１２  長手梁部材
１３  合掌部材
１４  棟部材
１５  下棟部材
１５０  吊り部材
１５１  ワイヤ掛け具
１６  下合掌部材
２  天膜
２１  内膜体
２２  外膜体
２３  天布
２４  端布
２５  幕布
２６  開口部
２７  内天布
２７０  雨返し片
２７１  内部通風口
２７３  吊りワイヤ
２８  連結帯
２９  外部通風部
３  側膜
３０、３１、３２、３３  構成布
３４  出入口
３５  側部通風部
Ａ２  テント
２ａ  天膜
２７２  雨水止め
２７４  吊りワイヤ
Ａ３  テント
Ｂ  付加テントセット
１ａ  フレーム
１７  付加フレーム
１７０  下棟部材
１７１  取付具
１７２  フック
１７３  外れ止め
１７４、１７５  ワイヤ掛け具
２ａ  天膜
【図１】
0005538847.tif 000002
【図２】
0005538847.tif 000003
【図３】
0005538847.tif 000004
【図４】
0005538847.tif 000005
【図５】
0005538847.tif 000006